(57)【特許請求の範囲】
【請求項１】
遊技媒体が投入される投入口と、この投入口を開閉自在に蓋をする蓋体と、前記投入口に投入された遊技媒体を計数する計数手段とを備えた遊技媒体計数機であって、
前記蓋体の閉蓋状態を検知する検知手段と、この検知手段が前記蓋体の閉蓋を検知している状態にあるときにのみ前記計数手段の作動を許可する制御部とを備え、
前記制御部は、前記検知手段が前記蓋体の閉蓋状態から開蓋状態に移行したのち再度閉蓋状態となったことを検知したときに前記計数手段の作動を許可し、前記計数手段に装着された検知手段が計数する遊技媒体の存在を検知しなくなったときに前記計数手段を停止させるとともに、前記蓋体の閉蓋状態から開蓋状態への移行には、該遊技媒体計数機に備えたロック機構の解除を必要とし、
前記蓋体の少なくとも周縁部の一部を磁性体によって形成し、前記蓋体が閉蓋された状態において、少なくとも前記磁性体形成部に対向する計数機本体の周縁部に電磁石または電磁石によって帯磁するように形成された磁性体を配設するとともに、前記制御部は、前記計数手段の作動と連動させて電磁石への通電を開始させ、
前記制御部は、前記計数手段による計数後に実行される前記計数手段の停止と連動させて前記電磁石への通電を停止させる、
ことを特徴とする遊技媒体計数機。
【発明の詳細な説明】
【技術分野】
【０００１】
本発明は、遊技機に使用されるパチンコ玉やメダルなどの遊技媒体を計数するための遊技媒体計数機に関する。
【背景技術】
【０００２】
遊技者がパチンコ機やパチスロ機などの遊技機においてゲームに入賞して獲得した遊技媒体の計数は、遊技機島の島端や遊技店のカウンターなどに設置された遊技媒体計数機を使用して行われる。計数の結果は、レシートや、磁気カード、ＩＣチップなどの記憶媒体に記録されて発行される。遊技者は、発行されたレシートや記憶媒体などをもって景品交換カウンターまで行き、記録されている遊技媒体の数量と等価の景品と交換する。
【０００３】
このような遊技媒体計数機のなかには、遊技媒体の投入口にシャッターを取り付けたもの（特許文献１）や、計数機内に収納されている計数手段への流出口にシャッターを設けた構造のもの（特許文献２）がある。従来、シャッターを設けることの主要な目的は、特許文献１にみられるように不正行為の防止にあり、例えば鍵を所有する遊技店の店員や、会員カードによって登録された遊技者など許可された者だけが開錠してシャッターを開放することができるようになっている。なお、特許文献２は、特定の遊技者に対するサービスの一環としてのシャッターの利用を発明の目的に掲げている。
【０００４】
【特許文献１】特開２００３−１９３４２号公報
【特許文献２】特開平９−１７３６２２号公報
【発明の開示】
【発明が解決しようとする課題】
【０００５】
遊技媒体の投入を禁止するシャッター機構を備えた従来の遊技媒体計数機は、一旦シャッターが公正に開放されたあとは、シャッターの開閉状態と関係なしに計数手段の作動が可能となるようになっている。しかるに、本発明の遊技媒体計数機は、遊技媒体の計数時に発生する騒音の軽減を最大の目的とし、その目的のために蓋体（シャッターなど）を利用することを特徴とするものである。また、同時に、不正行為の防止も図ろうとするものである。この場合の不正行為とは、計数部に電波を発射したり、特殊な道具を計数機内部に侵入させたりして計数手段に誤作動を引き起こさせ、投入した遊技媒体の個数よりも遥かに多い計数結果を違法に取得するという行為を指す。
【課題を解決するための手段】
【０００６】
本発明は、上記の如き課題に鑑みなされたもので、請求項１の発明は、遊技媒体が投入される投入口と、この投入口を開閉自在に蓋をする蓋体と、前記投入口に投入された遊技媒体を計数する計数手段とを備えた遊技媒体計数機であって、前記蓋体の閉蓋状態を検知する検知手段と、この検知手段が前記蓋体の閉蓋を検知している状態にあるときにのみ前記計数手段の作動を許可する制御部とを備え、前記制御部は、前記検知手段が前記蓋体の閉蓋状態から開蓋状態に移行したのち再度閉蓋状態となったことを検知したときに前記計数手段の作動を許可し、前記計数手段に装着された検知手段が計数する遊技媒体の存在を検知しなくなったときに前記計数手段を停止させるとともに、前記蓋体の閉蓋状態から開蓋状態への移行には、該遊技媒体計数機に備えたロック機構の解除を必要とし、前記蓋体の少なくとも周縁部の一部を磁性体によって形成し、前記蓋体が閉蓋された状態において、少なくとも前記磁性体形成部に対向する計数機本体の周縁部に電磁石または電磁石によって帯磁するように形成された磁性体を配設するとともに、前記制御部は、前記計数手段の作動と連動させて電磁石への通電を開始させ、前記制御部は、前記計数手段による計数後に実行される前記計数手段の停止と連動させて前記電磁石への通電を停止させることを特徴とする遊技媒体計数機である。
【０００７】
このような構成により、遊技媒体計数機に備えた計数を開始するためのスタートボタンが押下されても、遊技媒体の投入口に開閉自在に設けた蓋体が開蓋状態にある間は、計数は開始されない。すなわち、蓋体を閉じたあとでなければ、スタートボタンの作動が効かないようになっている。計数時には必ず蓋体が閉じた状態にあるので、遊技媒体同士の衝突などによって発生する音を蓋体が遮音して、外部に漏れる騒音を軽減させる。
【０００９】
このような構成は、蓋体が閉蓋されて施錠された待機の状態にあるときにロック機構を解除し、蓋体を一旦開蓋状態に移行させて遊技媒体を投入したのち、改めて蓋体を閉じるという過程を経ないと、計数が実行されないというものである。そして、計数用のスタートボタンの押下によって計数手段が始動し、計数手段に装着された検知手段が通過する遊技媒体の存在を検知しなくなったときに、計数手段は自動的に停止する。したがって、計数時の閉蓋による騒音の軽減効果のほかに、蓋体が閉蓋したままの状態のときに行われる不正行為に対しては、前記の過程を経ていないことから計数が開始することはない。さらに、蓋体の開蓋にはロック機構の解除を必要とし、このロック機構の解除には、鍵による開錠や、より安全性に高いものとして磁気カードや指紋などの個人認証に基づいて行われることが必要であるから、不正に開蓋して行われる不正行為も防止する。
【００１１】
このような構成は、電磁石の磁石の作用によって蓋体が遊技媒体計数機の本体側に引き付けられて密着することになり、遊技媒体の投入口での蓋体の密閉度を高めるとともに、蓋体自体が計数によって生じる振動に共振して、新たな騒音源となることを防止する。電磁石は、計数手段の作動と連動させたものであるから、スタートボタンの押下と同時に電気の供給を受けて、磁力を発生するようになる。なお、ここで使用される電磁石は、遊技媒体の全面と接触するほど広い面積を持つものではなく、また遊技媒体の一部と当接しただけでその遊技媒体の流下を妨げるほど強力な磁力を持つものでもない。また、磁気カードなどの磁気記憶媒体を使用するものや、センサなどに磁気部品が使用されている機種のものは、これらの部品が電磁石の磁気の影響を受けないように、計数機の製造設計にあたって設置位置などに配慮する必要がある。
【００１３】
このような構成は、遊技媒体の計数が終了すれば、電磁石に磁石としての効力を持たせる必要はなくなるから、計数の終了と連動させて、直ちに電磁石に対する電気の供給を自動的に停止するようにしたものである。
【発明の効果】
【００１４】
本発明によれば、遊技媒体の計数は、遊技媒体計数機の投入口を覆う蓋体が閉蓋状態にあるときにのみ実行されるので、計数に伴って生じる音を蓋体が遮音して、外部に漏れる騒音を軽減させる。また、蓋体が閉じた状態から鍵などによってロック機構を解除して一旦開蓋状態にしてから遊技媒体を投入し、その後、蓋体を閉じる過程を経るという構成とすることにより、蓋体が閉蓋状態にあるときの不正行為も、蓋体が開蓋状態にあるときの不正行為も防止することができる。
【００１５】
電磁石による磁石の作用によって、蓋体と計数機本体とが密着して密閉度が増すことになるから、蓋体による遮音効果は一層大きくなる。また、計数によって蓋体自体が共振することに起因する騒音の発生も抑えることができる。遊技媒体の計数の終了とともに電磁石への電気の供給が自動的に停止して磁石としての効力は失われ、蓋体を楽に開けることができるようになる。
【発明を実施するための最良の形態】
【００１６】
（第１の実施の形態）次に、本発明の第１実施例について、図１〜図３を参照しながら説明する。図１は、本発明の遊技媒体計数機の一例として、スロットマシンなどの遊技機に使用されるメダルを計数するメダル計数機１を示す斜視図である。メダル計数機１の上部手前側には矩形状の開口が設けられて、投入されるメダルを受け入れる投入口２を形成している。投入口２の内部には擂り鉢状の受皿３が配設され、その底部には、投入されたメダルを中央に集めて、下方に配設した計数手段４（図２参照）に送り出すための円形のメダル流下口５が開設されている。メダル流下口５の中心には、計数手段４の作動とともに回転して、投入によってできたメダルの山を攪拌することによってメダルのスムーズな流下を促がす攪拌棒６が、上方に向かって覗いている。
【００１７】
メダル計数機１の上部後背部に設けた操作表示部７の傾斜したパネル面には、液晶ディスプレイ８のほかに、スタートボタン９，店員呼出ボタン１０，レシート発行ボタン１１といった各種ボタンが配設されている。また、操作表示部７の上部には、表示灯１２が備えられている。さらに、メダル計数機１の正面下部には、レシート発行口１３およびカード挿入口１４が配設されている。さらに、投入口２には、後背部から手前側に引き出して投入口２を塞ぐことのできる開閉自在な蓋体の一例としてのスライドシャッター１５が組み込まれ、図例において半開きの状態で描かれている。スライドシャッター１５の上面に突設された取っ手１６を摘まんで閉蓋状態とすることにより、計数時の騒音が遮音される。計数機本体には、閉蓋時にスライドシャッター１５の前端部と係合して閉蓋状態からの開放を禁止するロック機構１７が装備されている。
【００１８】
液晶ディスプレイ８には、操作手順案内や、メダルを計数した結果情報などが表示される。レシート発行口１３は、計数機本体に収納されているレシート発行機（図示せず）から計数結果を印字したレシートを発行するための開口である。カード挿入口１４は、計数機本体に収納されているカードリーダ（図示せず）に会員カードや店員カードを挿入して読み取らせるための開口である。スタートボタン９は、メダルの計数を開始する際に押下するボタンであり、店員呼出ボタン１０は、会員カードを保有していない遊技者がメダルの計数を開始するに当たり遊技店の店員を呼出すために押下するボタンである。レシート発行ボタン１１は、計数結果の印字されたレシートを受け取るために押下するボタンである。また、表示灯１２は、通常はメダル計数機１の電源がＯＮの状態にあることを報知するために装飾を兼ねて点灯し、店員呼出ボタン１０が押下されたときには、その旨を周囲に知らしめるために光の色や点灯パターンなどを変えて点灯するようになっている。
【００１９】
図２は、図１に示すメダル計数機１の（ａ）は一部正面の断面図、（ｂ）は一部側面の断面図である。スライドシャッター１５は、何枚もの帯板を並列させて面状に組み上げたもので、帯板と帯板との間は例えばピンによって連結されて、例えば腕時計の金属バンドのように一定範囲で回動自在に構成されている。また、スライドシャッター１５は、その両側縁を投入口２の近傍の両側部に水平に延設させたガイドレール１８と係合させて、スライド開閉式の蓋体として形成されている。
【００２０】
ガイドレール１８は、図２（ｂ）に示すように、計数機本体の後背部で下方に向かって湾曲して形成されている。スライドシャッター１５を開蓋状態とするときは、取っ手１６を摘まんで後方にスライドさせる。これによって、スライドシャッター１５は、湾曲部に倣って曲折しながら計数機本体の内部に収容される。一方、スライドシャッター１５が完全に閉じた状態におかれたことは、計数機本体の最前部に組み込んだ検知手段１９ａによって検知される。この検知手段１９ａは、例えば遮光型のフォトセンサが使用される。反射型のフォトセンサや、機械接点式の検知センサなどを採用することもできる。
【００２１】
ロック機構１７は、スライドシャッター１５が閉蓋状態にあるときに施錠するものである。ロック機構１７の施錠・開錠は、最も簡単なものでは鍵が採用される。あるいは、ロック機構１７を閉蓋と同時に鍵の掛かるオートロックとすることもできる。さらに、ソレノイドのような電気的な駆動力によって揺動する係合片を施錠位置と開錠位置との間で移動させる方式のオートロック機構を採用することができる。オートロック機構１７の解除には磁気カードなどの記憶媒体による認証を必要とし、この認証がなければ、鍵は開錠できない。また、記憶媒体の代わりに、指紋に代表される生体認証などを採用したりすることによって、操作性や安全性をより一層高めることができる。そして、いずれの方式であっても、閉蓋状態におかれているスライドシャッター１５を不正に開蓋して行う不正行為を防止することができる。
【００２２】
計数手段４は、周知のホッパー装置を用いたものであるので詳細な説明は省略するが、大略、回転する円板４ａの上に落下したメダルが遠心力によって円板４ａの外周部に寄せられ、外周縁の一部に開設されたメダル通路４ｂを通じて１枚ずつ繰り出される間に計数されるというものである。メダル通路４ｂの途中には、計数のための検知手段１９ｂが配設されている。この検知手段１９ｂも、検知手段１９ａと同様のものが使用される。
【００２３】
本発明のメダル計数機１は、磁石の作用を利用しない構造とすることもできるが、本実施例では、電磁石を付設した事例について紹介する。すなわち、スライドシャッター１５が、非磁性体である合成樹脂などによって主要な部分が形成されたものである場合に、スライドシャッター１５の両側部裏面には、磁性体である鋼板製の小片（図示せず）が一列に貼着されている。また、これに対向するガイドレール１８には、スライドシャッター１５の前記小片列と当接する部位に、細長い鋼製の帯板２０が貼着される。さらに、この帯板２０の下方には、複数の電磁石２１が、磁極となる部分を帯板２０に接触させて配置されており、電磁石２１に通電することによって発生する磁力が、帯板２０を帯磁させるようになっている。その結果、通電時には帯板２０の全体が磁石として作用してスライドシャッター１５の鋼板製の小片列を引き付ける。蓋としての密閉度が高まるので、より一層の遮音効果が得られ、計数によって生じる振動によって蓋体自体が共振して騒音源となることも避けられる。
【００２４】
なお、磁気媒体を利用した会員カードなどでは、電磁石２１による磁気の影響によってカードデータの消滅などの不測の事故を招かないように、カード挿入口１４の設置位置が設定されている。すなわち、カード挿入口１４は、会員カードなどを電磁石２１に近づける必要のない計数機本体の最前となる正面の下部に設けている。また、スライドシャッター１５は、全体を鋼板によって形成したものであっても構わないが、電磁石を組み込んだ構造とする場合は、上記のような配慮をしてもなお会員カードなどを誤ってスライドシャッター１５の上に落としたり載せたりしたときの事故を防ぐために、既述のように、スライドシャッター１５の裏面両側部にのみ磁性金属を使用し、それ以外を合成樹脂などによって形成したものが好ましい。
【００２５】
操作表示部７の内部には、制御部を形成する制御基板２２が収納されている。図３は、本メダル計数機１の仕組みを制御部の作用と関連させて説明するフローチャートである。制御部は、ＣＰＵ，ＲＡＭ，ＲＯＭによって構成されており、制御基板２２は、計数手段４の駆動装置，液晶ディスプレイ８，スタートボタン９，店員呼出ボタン９，レシート発行ボタン１０，表示灯１２，レシート発行口１３を備えたレシート発行機，カード挿入口１４を備えたカードリーダ，電磁石２１と接続し、さらにスライドシャッター１５の閉蓋を検知する検知手段１９ａおよび計数手段４においてメダルの通過を検知する検知手段１９ｂと接続して、これらの機器と制御部との間で情報の送受信を行うものである。
【００２６】
図３のＳ０１（ステップ０１の略、以下同様）において、閉蓋を検知する検知手段１９ａからスライドシャッター１５の閉蓋状態を検知したという出力があったときのみ、次に進むことができる（Ｓ０１のＹＥＳ）。スタートボタン９が押下されると（Ｓ０２）、計数手段４が始動すると同時に（Ｓ０３）、電磁石２１に電気が通じて、磁石の作用によってスライドシャッター１５が投入口２の側に引き付けられる（Ｓ０４）。ただし、計数手段４が作動を開始してから例えば５秒間といった所定の時間が経過しても、計数手段４の検知手段１９ｂが計数するメダルの通過を検知しなかった場合は（Ｓ０５のＮＯ）、Ｓ０６およびＳ０７に進んで、計数手段４が停止するとともに、電磁石２１への電気の供給が止められる。これは、開蓋状態にあったときにメダルの投入が行われないままスライドシャッター１５が閉じられて、スタートボタン９が押下された場合の処置である。
【００２７】
計数するメダルの存在が確認できた場合は（Ｓ０５のＹＥＳ）、計数手段４が停止することなく作動して（Ｓ０８）、計数するメダルの存在が確認できている間中、作動を続ける（Ｓ０９のＹＥＳ）。そして、例えば５秒間といった所定の時間が経過しても計数するメダルの存在を確認することができなくなった場合は（Ｓ０９のＮＯ）、計数手段４を停止させると同時に（Ｓ１０）、電磁石２１への電気の供給が止められる（Ｓ１１）。計数結果はレシートに記録され、レシート発行ボタン１１の押下によって（Ｓ１２）、レシート発行口１３よりレシートが発行される（Ｓ１３）。Ｓ１３および前記Ｓ０７ののちは、初めの待機状態に戻る。
【００２８】
（第２の実施の形態）次に、本発明の第２実施例について、図４〜図６を参照しながら説明する。なお、第１実施例と同一箇所には同符号を付し、同一箇所の詳細な説明は省略する。さて、図４は、本発明の遊技媒体計数機の一例として、第２実施例におけるメダル計数機１を示す斜視図である。このメダル計数機１の上部後背部に設けた操作表示部７の傾斜したパネル面には、液晶ディスプレイ８，スタートボタン９，店員呼出ボタン１０，レシート発行ボタン１１，およびレシート発行口１３，カード挿入口１４が配設されている。また、操作表示部７の上部には、表示灯１２が備えられている。
【００２９】
矩形状をなすメダルの投入口２の後背縁には、蓋体の一例としての開閉扉３０が枢支されて計数機手前側から上後方に向けて開扉できるように形成されている。開閉扉３０は、図例において完全に開扉した状態で描かれている。開閉扉３０は、枠体３１と、この枠体３１に嵌め込んだガラス板やアクリル板などからなる板状体３２とによって構成されている。そして、開閉扉３０の上面に突設された取っ手３３を摘まんで閉蓋状態とすることにより、計数時における騒音が遮音される。また、投入口２の両側部には、閉蓋時の開閉扉３０を受け止めるために段状に形成された係止受け部３4が設けられている。計数機本体には、閉蓋時に開閉扉３０の前端部と係合して閉蓋状態からの開放を禁止するロック機構１７が装備されている。
【００３０】
図５は、図４に示すメダル計数機１の（ａ）は一部正面の断面図、（ｂ）は一部側面の断面図である。開閉扉３０の枠体３１は、合成樹脂や鋼材などによって形成される。この第２実施例についても、電磁石を付設した事例について紹介する。電磁石を付設する場合は、枠体３１を非磁性体である合成樹脂などによって形成するのがよい。枠体３１の両側部裏面には、磁性体である鋼板製の帯板（図示せず）が貼着される。また、これに対向する係止受け部３４には、開閉扉３０の前記磁性体貼着部と当接する部位に、細長い鋼製の帯板２０が貼着されている。さらに、この帯板２０の下方には、複数の電磁石２１が、磁極となる部分を帯板２０に接触させて配置されており、電磁石２１に通電することによって発生する磁力が、帯板２０を帯磁させるようになっている。その結果、通電時には帯板２０の全体が磁石として作用して開閉扉３０の枠体３１の鋼板製の帯板を引き付ける。蓋としての密閉度が高まるので、より一層の遮音効果が得られ、計数によって生じる振動によって蓋体自体が共振して騒音源となることも避けられる。
【００３１】
なお、本実施例の構成は、磁気媒体を利用した会員カードなどが、電磁石２１による磁気の影響によってカードデータの消滅などの不測の事故に遭う心配は少ない。すなわち、開蓋状態では、開放した開閉扉３０によってカード挿入口１４が遮られるので、会員カードなどを挿入することができない。カードを挿入できるのは、開閉扉３０が閉蓋状態にあるときに限られ、しかもカード挿入時点では、まだ電磁石２１は通電されていないからである。
【００３２】
計数機本体の最前部には検知手段１９ａが組み込まれて、開閉扉３０が閉じた状態におかれたことが検知される。計数手段４を構成するメダル通路４ｂには、通過するメダルを計数するための検知手段１９ｂが配設されている。操作表示部７の内部には、制御部となる制御基板２２が収納されている。
【００３３】
図６は、本メダル計数機１の仕組みを制御部の作用と関連させて説明するフローチャートである。制御部を形成する制御基板２２は、計数手段４の駆動装置，液晶ディスプレイ８，スタートボタン９，店員呼出ボタン９，レシート発行ボタン１０，表示灯１２，レシート発行口１３を備えたレシート発行機，カード挿入口１４を備えたカードリーダ，電気駆動式のオートロックが組み込まれたロック機構１７，電磁石２１と接続し、さらに開閉扉３０の閉蓋を検知する検知手段１９ａおよび計数手段４においてメダルの通過を検知する検知手段１９ｂと接続して、これらの機器と制御部との間で情報の送受信を行うものである。
【００３４】
図６のＳ０１において、閉蓋を検知する検知手段１９ａが開閉扉３０の閉蓋を検知している状態にあるときのみ、次に進むことができる（Ｓ０１のＹＥＳ）。そして、会員カードなどが挿入されると（Ｓ０２）、ロック機構１７のオートロックが解除されて開蓋が可能となる（Ｓ０３）。一旦開蓋状態となったことが確認されたのち（Ｓ０４のＹＥＳ）、再度閉蓋状態となると同時に（Ｓ０５のＹＥＳ）、ロック機構１７が作動して、開閉蓋３０が自動的にロックされる（Ｓ０６）。
【００３５】
スタートボタン９が押下されると（Ｓ０７）、計数手段４が始動するとともに（Ｓ０８）、電磁石２１に電気が通じて、磁石の作用によって開閉扉３０が投入口２の側に引き付けられる（Ｓ０９）。ただし、計数手段４が作動を開始してから例えば５秒間といった所定の時間が経過しても、計数手段４の検知手段１９ｂが計数するメダルの通過を検知しなかった場合は（Ｓ１０のＮＯ）、Ｓ１１およびＳ１２に進んで、計数手段４が停止するとともに、電磁石２１への電気の供給が止められる。これは、開蓋状態にあったときにメダルの投入が行われないまま開閉扉３０が閉じられて、スタートボタン９が押下された場合の処置である。
【００３６】
計数するメダルの存在が確認できた場合は（Ｓ１０のＹＥＳ）、計数手段４が停止することなく作動して（Ｓ１３）、計数するメダルの存在が確認できている間中、作動を続ける（Ｓ１４のＹＥＳ）。そして、例えば５秒間といった所定の時間が経過しても計数するメダルの存在を確認することができなくなった場合は（Ｓ１４のＮＯ）、計数手段４を停止させると同時に（Ｓ１５）、電磁石２１への電気の供給が止められる（Ｓ１６）。計数結果はレシートに記録され、レシート発行ボタン１１の押下によって（Ｓ１７）、レシート発行口１３よりレシートが発行される（Ｓ１８）。Ｓ１８および前記Ｓ１２ののちは、初めの待機状態に戻る。
【００３７】
本発明において、例えば第２実施例に示した開閉扉の３０の板状体３２を２重構造としたものを採用したり、計数機の筐体の内壁にシート状の吸音材を貼着したりすることによって、騒音の軽減効果をさらに向上させることができる。吸音材には、ガラス短繊維の綿状物からなるグラスウールを板状に成形したものや、ポリウレタンを発泡させてなるウレタンフォームを加工したものなどが使用される。
【図面の簡単な説明】
【００３８】
【図１】本発明の第１実施例の斜視図である。
【図２】図１の（ａ）は一部正面の断面図、（ｂ）は一部側面の断面図である。
【図３】第１実施例の仕組みを説明するフローチャートである。
【図４】本発明の第２実施例の斜視図である。
【図５】図４の（ａ）は一部正面の断面図、（ｂ）は一部側面の断面図である。
【図６】第２実施例の仕組みを説明するフローチャートである。
【符号の説明】
【００３９】
１  メダル計数機（遊技媒体計数機）
２  投入口
４  計数手段
７  操作表示部
９  スタートボタン
１１  レシート発行ボタン
１３  レシート発行口
１４  カード挿入口
１５  スライドシャッター（蓋体）
１７  ロック機構
１８  ガイドレール
１９ａ，１９ｂ  検知手段
２０  帯板
２１  電磁石
２２  制御基板（制御部）
３０  開閉扉（蓋体）
３４  係止受け部
【図１】
0005268381.tif 000002
【図２】
0005268381.tif 000003
【図３】
0005268381.tif 000004
【図４】
0005268381.tif 000005
【図５】
0005268381.tif 000006
【図６】
0005268381.tif 000007